(57)【要約】      （修正有）【課題】ケース本体の両側より挿入する二つの蝶番軸が、ケース本体、および蓋体とそれぞれ嵌合することによって、蓋体をケース本体に装着するとともに、蝶番軸により、蓋体を開蓋方向に付勢することが可能なコンパクト容器の開蓋機構を提供すること。【解決手段】一端側に中央を切欠部により切り欠いて両側に配設される軸受孔７ａを穿設した軸受部６ａを具え、蓋体Ｂは、ケース本体Ａの切欠部５に係合し、装着される取付片８を具え、取付片の両側から、ケース本体の軸受孔に対応して位置する軸受穴を穿設し、軸受穴には、内方の内側内周と、外方の拡径内周２３とを設けており、蝶番廻動軸Ｄは、軸部材Ｄ１と、軟材質のエラストマーで形成されたばね部材Ｄ２とを具え、軸部材は、蓋体の軸受穴の内側内周に嵌合する内軸部Ｄ１ａと、ケース本体の軸受孔の内周に嵌合する外軸部Ｄ１ｂと、内軸部と、外軸部とを連設する連設軸部Ｄ１ｃとを具えている。【選択図】図１
2008029754.tif 000002
【特許請求の範囲】
【請求項１】
ケース本体と、蓋体と、ケース本体に蓋体を装着させる蝶番廻動軸と、ケース本体に取着され開蓋操作する蓋係止部材とからなるコンパクト容器において、
ケース本体は、一端側に中央を切欠部により切り欠いて両側に配設される軸受孔を穿設した軸受部を具え、
蓋体は、ケース本体の切欠部に係合し、装着される取付片を具え、
取付片の両側から、ケース本体の軸受孔に対応して位置する軸受穴を穿設し、
軸受穴には、内方の内側内周と、外方の拡径内周とを設けており、
蝶番廻動軸は、軸部材と、軟材質のエラストマーで形成されたばね部材とを具え、
軸部材は、蓋体の軸受穴の内側内周に嵌合する内軸部と、ケース本体の軸受孔の内周に嵌合する外軸部と、内軸部と、外軸部とを連設する連設軸部とを具えていることを特徴とするコンパクト容器の開蓋機構。
【請求項２】
蝶番廻動軸は、ばね部材が、軸部材の連設軸部付近、および外軸部の先端にインサート成形により一体成形され、内軸部と外軸部とを連接していることを特徴とする請求項１記載のコンパクト容器の開蓋機構。
【請求項３】
蓋体が、開蓋状態でケース本体に蝶番廻動軸により装着され、
閉蓋時に、蝶番廻動軸のばね部材の板ばね部がねじれて維持され、
開蓋時に、ねじれた板ばね部が復元し、内軸部を外軸部に対して廻動させ、蓋体がケース本体に対して開蓋方向に廻動させることを特徴とする請求項１〜２記載のコンパクト容器の開蓋機構。
【請求項４】
蝶番廻動軸のばね部材にブレーキ部が設けられ、開蓋時に蓋体の軸受穴の拡径内周に一定の弾力をもって摺接し、蓋体が、ケース本体に対して開蓋方向にゆっくり廻動させることを特徴とする請求項１〜３記載のコンパクト容器の開蓋機構。
【請求項５】
蝶番廻動軸の軸部材の連設軸部が、蝶番廻動軸のねじれにより破断して、蝶番廻動軸の内軸部と外軸部とが、ねじれたばね部材により連設されることを特徴とする請求項１〜４記載のコンパクト容器の開蓋機構。
【発明の詳細な説明】
【技術分野】
【０００１】
本発明は、コンパクト容器の開蓋機構、とくに蓋係止機構を外した際に蓋体が自動的に開蓋する開蓋機構に関する。
【背景技術】
【０００２】
ケース本体と、ケース本体に蝶番軸により取着された蓋体と、ケース本体に装着された蓋体の係止機構とを具えたコンパクト容器において、蓋体とケース本体との係止を外した際に、蓋体を自動的に開蓋させるコンパクト容器の開蓋機構は、従来より知られている（例えば、特許文献１参照）。
【特許文献１】特開２００３−３３９４２８号公報
【発明の開示】
【発明が解決しようとする課題】
【０００３】
しかしながら、上記従来のコンパクト容器の開蓋機構では、蝶番軸に巻きバネを装着し、巻きバネの弾性により開蓋するとともに、蝶番軸にケース本体に設けた制動部材を作動させるようにしているので、パーツ数が多くなり、かつ構造が複雑となるので、コストが高くなるという問題があった。
また、巻きバネは、金属製であるので、異種材料が混入するという問題があった。
さらにまた、巻きバネの弾性が強いと、開蓋時に、一気に開蓋して、ケース内の内容物を撒き散らすこともあった。
【０００４】
本発明は、上記問題を解決することを課題として、ケース本体の両側より挿入する二つの蝶番軸が、ケース本体、および蓋体とそれぞれ嵌合することによって、蓋体をケース本体に装着するとともに、蝶番軸により、蓋体を開蓋方向に付勢することが可能なコンパクト容器の開蓋機構を提供することを目的とする。
【課題を解決するための手段】
【０００５】
本発明は、上記の課題を解決するため、コンパクト容器の開蓋機構として、ケース本体と、蓋体と、ケース本体に蓋体を装着させる蝶番廻動軸と、ケース本体に取着され開蓋操作する蓋係止部材とからなるコンパクト容器において、ケース本体は、一端側に中央を切欠部により切り欠いて両側に配設される軸受孔を穿設した軸受部を具え、蓋体は、ケース本体の切欠部に係合し、装着される取付片を具え、取付片の両側から、ケース本体の軸受孔に対応して位置する軸受穴を穿設し、軸受穴には、内方の内側内周と、外方の拡径内周とを設けており、蝶番廻動軸は、軸部材と、軟材質のエラストマーで形成されたばね部材とを具え、軸部材は、蓋体の軸受穴の内側内周に嵌合する内軸部と、ケース本体の軸受孔の内周に嵌合する外軸部と、内軸部と、外軸部とを連設する連設軸部とを具えていることを特徴とする構成を採用する。
【０００６】
蝶番廻動軸の実施態様として、蝶番廻動軸は、ばね部材が、軸部材の連設軸部付近、および外軸部の先端にインサート成形により一体成形され、内軸部と外軸部とを連接していることを特徴とする構成を採用する。
【０００７】
開蓋機構の実施態様として、蓋体が、開蓋状態でケース本体に蝶番廻動軸により装着され、閉蓋時に、蝶番廻動軸のばね部材の板ばね部がねじれて維持され、開蓋時に、ねじれた板ばね部が復元し、内軸部を外軸部に対して廻動させ、蓋体がケース本体に対して開蓋方向に廻動させることを特徴とする構成を採用する。
【０００８】
開閉蓋時の蝶番廻動軸の実施態様として、蝶番廻動軸のばね部材にブレーキ部が設けられ、開蓋時に蓋体の軸受穴の拡径内周に一定の弾力をもって摺接し、蓋体が、ケース本体に対して開蓋方向にゆっくり廻動させることを特徴とする構成を採用する。
また、蝶番廻動軸の軸部材の連設軸部が、蝶番廻動軸のねじれにより破断して、蝶番廻動軸の内軸部と外軸部とが、ねじれたばね部材により連設されることを特徴とする構成を採用する。
【発明の効果】
【０００９】
蓋体が、開蓋状態でケース本体に両側からの蝶番廻動軸により装着され、閉蓋時に、蝶番廻動軸のばね部材がねじれて維持され、開蓋時に、ねじれたばね部材の復元力により、蓋体をケース本体に対して自動的に開蓋方向に廻動できるようになり、コンパクト容器のパーツ数を減らすことができるようになった。
また、蝶番廻動軸のばね部材のブレーキ用突条が、開蓋時に蓋体の軸受穴の拡径内周に一定の弾力をもって摺接し、蓋体をゆっくり廻動することができるようになった。
【発明を実施するための最良の形態】
【００１０】
次に、本発明のコンパクト容器の実施形態について、図面を参照して説明する。
図１において、Ａはケース本体、Ｂは蓋体、Ｃはケース本体Ａに装着された蓋係止部材、Ｄはケース本体Ａに蓋体Ｂを回転可能に装着する二つの蝶番廻動軸である。
【００１１】
ケース本体Ａは、内ケースＡ１と外ケースＡ２とからなっている。
内ケースＡ１は、図１、２に示すように、底壁１と周壁２とを具え、ケース内に化粧料などの収納部が設けられている。
周壁２の前部、および両側部の外周上端部には、前部上壁３ａと、両側の側部上壁３ｂ、３ｃが設けられ、前部上壁３ａの中央には、周壁２の前側とともに、蓋係止部材Ｃと係合し、蓋体Ｃを開閉する蓋係止部４が形成されている。
【００１２】
周壁２の後部の外周には、中央が切欠部５により切り欠かれ、切欠部５を挟んで、上面部が側部上壁３ｂ、３ｃの上面部と連続して形成される軸受部６ａ、６ｂが配設されている。
【００１３】
軸受部６ａ、６ｂの所定の位置には、軸受孔７ａ、７ｂが穿設されており、軸受孔７ａ、７ｂの両外側端は、拡径された係合部８が形成されている。
軸受孔７ａ、７ｂの内周には、回転止め９が設けられている。
【００１４】
外ケースＡ２は、底壁１０と、内ケースＡ１の前部上壁３ａ、および側部上壁３ｂ、３ｃの外縁下面に係合する前側の前部周壁１１ａと、両側の側部周壁１１ｂ、１１ｃを具えている。
【００１５】
底壁１０の後側中央には、内ケースＡ１の切欠部５に対応する切欠部１２が形成されている。
前部周壁１１ａの中央には、内ケースＡ１の蓋係止部４に対応する切込み部１３が形成されている。
【００１６】
蓋体Ｂは、図１、３に示すように、頂壁１５と、閉蓋時に、内ケースＡ１の前部上壁３ａ、側部上壁３ｂ、３ｃ、および軸受部６ａ、６ｂの外縁上面に接合する周壁１６とを具えており、頂壁１５の下面中央には鏡が装着されている。
頂壁１５の前側の中央部には、閉蓋時に、内ケースＡ１の蓋係止部４、および蓋係止部材Ｃに係合し、閉蓋を維持させる係止片１７が垂設されている。
頂壁１５の後側の中央部には、内ケースＡ１の軸受部６ａ、６ｂの内方に係合し、ケース本体Ａに、蓋体Ｂを蝶番廻動軸Ｄにより軸支される取付片１８が垂設されている。
【００１７】
取付片１８の所定の位置には、両側より、内ケースＡ１の軸受孔７ａ、７ｂの内径より小径の軸受穴２０ａ、２０ｂが配設されている。
軸受穴２０ａ、２０ｂには、内方の内側内周２１と、内側内周２１の端部から段部２２を介して拡径され、開口方向へ延びる拡径内周２３とを具えており、内側内周２１には、回転止め２４が設けられている。
【００１８】
蓋係止部材Ｃは、ケース本体Ａの蓋係止部４、および切込み部１３に係合し、ケース本体Ａの前側に装着され、閉蓋時には、蓋体Ｂの係止片１７に係合し、閉蓋を維持でき、開蓋時には、蓋係止部材Ｃを押圧操作することにより、係止片１７との係合を外し、開蓋できるようになっている。
つまり、蓋係止部材Ｃ、およびケース本体Ａの蓋係合部４と、蓋体Ｂの係止片１７との構成は、閉蓋を維持でき、蓋係止部材Ｃを押圧操作することにより開蓋できる構成であればよいので、本願発明の図面に示された構成、その他の構成に限定されない。
【００１９】
蝶番廻動軸Ｄは、図１、４に示すように、ケース本体Ａに蓋体Ｂを装着させるために二つ用意され、それぞれ、図４に示すように、ある程度の剛性を有する材質で形成された軸部材Ｄ１と、軸部材Ｄ１の中程にインサート成形により一体成形される軟材質のエラストマーで形成されたばね部材Ｄ２とからなっている。
軸部材Ｄ１は、内軸部Ｄ１ａと外軸部Ｄ１ｂと、内軸部Ｄ１ａと外軸部Ｄ１ｂとを連設する連設軸部Ｄ１ｃとを具えている。
【００２０】
内軸部Ｄ１ａは、蓋体Ｂの取付片１８の軸受穴２０ａ、２０ｂに挿入され、内側内周２１に嵌合する嵌合軸部２５と、嵌合軸部２５の連設軸部Ｄ１ｃ側に設けられ、軸受穴２０ａ、２０ｂの段部２２に内面が当接するフランジ部２６とを具えている。
嵌合軸部２５の外周には、内側内周２１の回転止め２４と嵌合する回転止め２７が設けられている。
【００２１】
外軸部Ｄ１ｂは、連設軸部Ｄ１ｃを介して内軸部Ｄ１ａに連設される係合軸部２８と、先端部が蓋体Ｂの取付片１８の軸受穴２０ａ、２０ｂの拡径内周２３に挿入されるガイド軸部２９と、内ケースＡ１の軸受部６ａ、６ｂの軸受孔７ａ、７ｂに挿入され、嵌合する嵌合軸部３０と、軸受孔７ａ、７ｂの係合部８に嵌合するフランジ部３１とを具えている。
嵌合軸部３０の外周には、軸受孔７ａ、７ｂの回転止め９と嵌合する回転止め３２が設けられている。
【００２２】
連設軸部Ｄ１ｃは、廻動により軸部自体が破断するようになっており、また、廻動により破断しやすいように、所定の位置に弱化部を設けてもよい。
また、蝶番廻動軸Ｄの材質によっては、ねじれるだけで、破断しないものであってもよい。
【００２３】
ばね部材Ｄ２は、軸部材Ｄ１の連設軸部Ｄ１ｃを中心軸として板状に形成され、端部が内軸部Ｄ１ａのフランジ部２６側端面に連設される板ばね部３５と、外軸部Ｄ１ｂの係合軸部２８の外周に係合して形成される係合筒部３６とを具えている。
係合筒部３６の外周には、蓋体Ｂの取付片１８の軸受穴２０ａ、２０ｂの拡径内周２３内周に一定の弾力をもって摺接するブレーキ部が設けられており、実施例として、ブレーキ用突条３７を形成しているが、ブレーキ部は、係合筒部３６の拡径部であってもよく、その形状は、適宜設定できる。
【００２４】
次に、本実施例コンパクト容器の使用態様と作用効果について説明する。
コンパクト容器の組立方法は、まず、蓋体Ｂを内ケースＡ１に対して所定の位置に開蓋した状態で、蓋体Ｂの取付片１８を内ケースＡ１の軸受部６ａ、６ｂの間に載置し、二つの蝶番廻動軸Ｄを軸受部６ａ、６ｂの軸受孔７ａ、７ｂ内に両側から嵌入し、蓋体Ｂを内ケースＡ１に装着する。
【００２５】
その際、蝶番廻動軸Ｄは、内軸部Ｄ１ａの嵌合軸部２５が、蓋体Ｂの取付片１８の軸受穴２０ａ、２０ｂの内側内周２１と嵌合し、また、外軸部Ｄ１ｂの嵌合軸部３０が、内ケースＡ１の軸受部６ａ、６ｂの軸受孔７ａ、７ｂ内周と嵌合して、蓋体Ｂを内ケースＡ１に枢支させる。
また、内軸部Ｄ１ａのフランジ部２６が、蓋体Ｂの軸受穴２０ａ、２０ｂの段部２２と係合するとともに、外軸部Ｄ１ｂのフランジ部３１が、内ケースＡ１の軸受孔７ａ、７ｂの係合部８と係合して、蝶番廻動軸Ｄが、蓋体Ｂの軸受穴２０ａ、２０ｂ内、および内ケースＡ１の軸受孔７ａ、７ｂ内で、内側にずれることを防止することができる。
【００２６】
次に、内ケースＡ１の下部に外ケースＡ２を装着する。
その際、内ケースＡ１の軸受部６ａ、６ｂの外側面に、外ケースＡ２の側部周壁１１ｂ、１１ｃが係合して覆われることにより、内ケースＡ１の軸受孔７ａ、７ｂ、および蝶番廻動軸Ｄの外軸部Ｄ１ｂの端部を、ケース本体Ａの外部から隠すことができ、また、蝶番廻動軸Ｄが蓋体Ｂの軸受穴２０ａ、２０ｂ内、および内ケースＡ１の軸受孔７ａ、７ｂ内で、外側にずれることを防止することができる。
最後に、ケース本体Ａに蓋係止部材Ｃを装着する。
【００２７】
次に、本実施例のコンパクト容器の使用にあたって、蓋体Ｂを閉蓋させるときには、まず、蓋体Ｂをケース本体Ａに対して蝶番廻動軸Ｄ側を支点に廻動させる。
【００２８】
その際、蝶番廻動軸Ｄは、内軸部Ｄ１ａが蓋体Ｂとともに廻動するのに対して、外軸部Ｄ１ｂが内ケースＡ１の軸受部６ａ、６ｂに嵌合して廻動しないので、図５（ａ）に示すように、連設軸部Ｄ１ｃ、およびばね部材Ｄ２の板ばね部３５にねじれが生じる。
ねじれにより、連設軸部Ｄ１ｃは破断するが、ばね部材Ｄ２は軟材質のエラストマーであるため、板ばね部３５がねじれ、蝶番廻動軸Ｄは、内軸部Ｄ１ａと、外軸部Ｄ１ｂとがばね部材Ｄ２のねじれた板ばね部３５で連設された状態となる。
【００２９】
最後に、蓋体Ｂの係止片１７を、蓋係止部材Ｃ、またはケース本体Ａの蓋係止部４に係止させて閉蓋状態を維持する。
その際、蝶番廻動軸Ｄは、ばね部材Ｄ２の板ばね部３５がねじれた状態で維持される。
【００３０】
蓋体Ｂを開蓋させるときには、蓋係止部材Ｃを操作して、蓋体Ｂの係止片１７と、蓋係止部材Ｃまたはケース本体Ａの蓋係止部４の係止を外す。
蓋体Ｂの係止を外すと、蝶番廻動軸Ｄのばね部材Ｄ２のねじれた板ばね部３５が元の形に戻ろうとし、内軸部Ｄ１ａを外軸部Ｄ１ｂに対して廻動させる。
【００３１】
蝶番廻動軸Ｄの内軸部Ｄ１ａが外軸部Ｄ１ｂに対して廻動することにより、内軸部Ｄ１ａに係合した蓋体Ｂが、外軸部Ｄ１ｂに係合したケース本体Ａに対して開蓋方向に廻動して、図５（ｂ）に示すように、蓋体Ｂを自動的に開蓋することができる。
【００３２】
また、蓋体Ｂが自動的に開蓋する際に、蝶番廻動軸Ｄのばね部材Ｄ２のブレーキ用突条３７が、蓋体Ｂの軸受穴２０ａ、２０ｂの拡径内周２３の周面に一定の弾力をもって摺接するため、抵抗となり、蓋体Ｂがゆっくりと開蓋することができる。
【００３３】
ばね部材Ｄ２のブレーキ用突条３７、および外軸部Ｄ１ｂのガイド軸部２９の先端部が、蓋体Ｂの軸受穴２０ａ、２０ｂの拡径内周２３の周面に係合しているため、ばね部材Ｄ２の板ばね部３５がねじれて変形したとしても、蓋体Ｂの取付片１８と、内ケースＡ１の軸受部６ａ、６ｂがずれることを防止している。
【００３４】
本発明の蝶番廻動軸Ｄは、変形しない内軸部Ｄ１ａと、外軸部Ｄ１ｂとを変形するばね部材Ｄ２で連設しているので、蝶番廻動軸Ｄがねじれることで、内軸部Ｄ１ａと外軸部Ｄ１ｂの形が変わることなく、蝶番廻動軸Ｄと蓋体Ｂ、およびケース本体Ａとの嵌合を確実に維持することができる。
【産業上の利用可能性】
【００３５】
本発明のコンパクト容器は、蓋体の係止機構を外すことで、ケース本体に蓋体を装着する蝶番廻動軸の復元力により、自動的に蓋体がゆっくりと確実に開蓋できるようになったので、種々の形状のコンパクトに広く利用できる。
【図面の簡単な説明】
【００３６】
【図１】本発明のコンパクト容器を説明する図で、（ａ）は断面側面図、（ｂ）はＡ−Ａ線における断面上面図である。
【図２】ケース本体と、蓋係止部材との説明図で、（ａ）は上面図、（ｂ）は断面側面図である。
【図３】蓋体の説明図で、（ａ）は側面図、（ｂ）は下面図である。
【図４】蝶番廻動軸の説明図で、（ａ）は断面図、（ｂ）は斜視図である。
【図５】ケース本体と蓋体と蝶番廻動軸との関係を説明する図で、（ａ）は閉蓋時、（ｂ）は開蓋時の横断面上面図である。
【符号の説明】
【００３７】
Ａ          ケース本体
Ａ１        内ケース
Ａ２        外ケース
Ｂ          蓋体
Ｃ          蓋係止部材
Ｄ          蝶番廻動軸
Ｄ１        軸部材
Ｄ１ａ      内軸部
Ｄ１ｂ      外軸部
Ｄ１ｃ      連設軸部
Ｄ２        ばね部材
１、１０    底壁
２、１６    周壁
３ａ        前部上壁
３ｂ、３ｃ  側部上壁
４          蓋係止部
５、１２    切欠部
６ａ、６ｂ  軸受部
７ａ、７ｂ  軸受孔
８          係合部
９、２４、２７、３２    回転止め
１１ａ      前部周壁
１１ｂ、１１ｃ    側部周壁
１３        切込み部
１５        頂壁
１７        係止片
１８        取付片
２０ａ、２０ｂ    軸受穴
２１        内側内周
２２        段部
２３        拡径内周
２５、３０  嵌合軸部
２６、３１  フランジ部
２８        係合軸部
２９        ガイド軸部
３５        板ばね部
３６        係合筒部
３７        ブレーキ用突条
【図１】
2008029754.tif 000003
【図２】
2008029754.tif 000004
【図３】
2008029754.tif 000005
【図４】
2008029754.tif 000006
【図５】
2008029754.tif 000007